(57)【特許請求の範囲】
【請求項１】
積み重ね可能とした合成樹脂薄板の真空成形体よりなる搬送用容器で、被搬送物品の厚さよりも大きな深さの物品収納部を有する支持基板と、同支持基板の周囲に形成された側枠壁と、上記支持基板の底面側では第１の凹部であり同支持基板の上面側では第１の凸部を呈するスタック用の嵌合手段とを備え、上記嵌合手段の上記第１の凹部内に他の搬送用容器の上記嵌合手段の上記第１の凸部を嵌合して積み重ねられる搬送用容器において、
上記嵌合手段の上記第１の凹部の内壁面には、積み重ね時において上記他の搬送用容器側の上記第１の凸部に当接して、その積み重ね高さを規制するストッパが形成されているとともに、
上記支持基板の底面側では第２の凸部であり同支持基板の上面側では第２の凹部を呈し、同第２の凹部の開口面が上記第２の凸部の底面よりも小さくされている補助ストッパをさらに備えていることを特徴とする搬送用容器。
【請求項２】
上記補助ストッパの上記第２の凸部および上記第２の凹部の壁面には一部分を除いて型抜きのためのテーパが付けられているのに対して、その一部分は上記第２の凹部の底部から垂直に立ち上がる垂直壁面とされ、同垂直壁面により上記第２の凹部の開口面が上記第２の凸部の底面よりも小さくされていることを特徴とする請求項１に記載の搬送用容器。
【請求項３】
上記ストッパは、上記第１の凹部の開口面側から見て逆テーパ状に形成されていることを特徴とする請求項１または２に記載の搬送用容器。
【請求項４】
上記嵌合手段は、上記側枠壁と上記物品収納部との間に設けられていることを特徴とする請求項１ないし３のいずれか１項に記載の搬送用容器。
【請求項５】
上記支持基板には上記物品収納部が複数形成されており、上記嵌合手段は、それらの物品収納部間に設けられていることを特徴とする請求項１ないし４のいずれか１項に記載の搬送用容器。
【発明の詳細な説明】
【０００１】
【発明の属する技術分野】
本発明は、積み重ね可能とした合成樹脂薄板の真空成形体よりなる搬送用容器に関し、さらに詳しく言えば、積み重ねた際にその荷重が容器内の物品にかからないようにした搬送用容器に関するものである。
【０００２】
【従来の技術】
電子部品などの生産工程では、その仕掛かり品をトレイと称される搬送用容器に入れて搬送するようにしている。例えば、液晶表示パネルの生産工程では、図７に例示されているような搬送用容器を使用している。
【０００３】
この搬送用容器１は、取り扱う物品が小型かつ軽量であるため、全体が合成樹脂薄板の真空成形体よりなり、その支持基板２には図示しない物品（仕掛かり品）を収納する所定深さの物品収納部３が形成されている。この例では、支持基板２には４つの物品収納部３が形成されている。また、支持基板２の周囲には側枠壁４が一体に連設されている。
【０００４】
量産工程では、このような同一形状の搬送用容器１が多数用意されるが、搬送効率を高めるため、往々にして所定数の搬送用容器１をいわゆる縦積み状に積み重ねて、一度でより多くの物品を次工程に運ぶようにしている。
【０００５】
【発明が解決しようとする課題】
しかしながら、これには次のような課題があった。すなわち、各搬送用容器１は同一形状であることに加えて、その側枠壁４や物品収納部３の側壁３ａには、真空成形金型に対する型抜き用のテーパが付けられている。
【０００６】
このため、これらの搬送用容器１を同一方向として積み重ねると、ほとんど隙間のない状態となる。このことは、物品収納部３に物品が収納されていると、その物品がその上に積み重ねられた搬送用容器１の荷重にて押圧（圧迫）されることを意味し、その物品に対して悪影響を与え兼ねない。液晶表示パネルの場合、それが表示不良となって現れることになる。
【０００７】
これを回避するには、第１の方法として搬送用容器１に例えばスペーサ部材などを形成して、それら各容器１の物品収納部３間に所定の隙間を確保するか、第２の方法として各搬送用容器１を同一方向として積み重ねるのではなく、その一つおきに下の搬送用容器１に対して、例えば９０度ずつ角度を変えて積み重ねればよい。
【０００８】
しかしながら、第１方法では、下に配置される搬送用容器１と上に配置される搬送用容器１とでは、そのスペーサ部材を設ける位置を変えなければならず、このため２種類の成形金型が必要となり、コスト的に好ましくない。
【０００９】
また、第２の方法のような積み重ねでは、各搬送用容器１間に引っかかりがなく、その縦積みの山が安定しないため搬送には細心の注意が必要とされる。しかも、細心の注意を払ったとしても、いわゆる山崩れしてしまう場合があり、不測の損害を被ることになる。
【００１０】
さらに、上記のように搬送用容器１を積み重ねるに際して、その一つおきに載置角度を変えたのでは、その搬送用容器１の物品収納部３から物品を取り出す場合、その物品の向きが区々となるため、そのハンドリングに自動機を適用することが難しく、生産性の面で好ましくない。
【００１１】
本発明は、このような課題を解決するためになされたもので、その目的は、各搬送用容器を同一方向として積み重ねても、収納されている物品に余計な荷重がかからないようにした搬送用容器を提供することにある。
【００１２】
【課題を解決するための手段】
上記目的を達成するため、本発明は、積み重ね可能とした合成樹脂薄板の真空成形体よりなる搬送用容器で、被搬送物品の厚さよりも大きな深さの物品収納部を有する支持基板と、同支持基板の周囲に形成された側枠壁と、上記支持基板の底面側では第１の凹部であり同支持基板の上面側では第１の凸部を呈するスタック用の嵌合手段とを備え、上記嵌合手段の上記第１の凹部内に他の搬送用容器の上記嵌合手段の上記第１の凸部を嵌合して積み重ねられる搬送用容器において、上記嵌合手段の上記第１の凹部の内壁面には、積み重ね時において上記他の搬送用容器側の上記第１の凸部に当接して、その積み重ね高さを規制するストッパが形成されているとともに、上記支持基板の底面側では第２の凸部であり同支持基板の上面側では第２の凹部を呈し、同第２の凹部の開口面が上記第２の凸部の底面よりも小さくされている補助ストッパをさらに備えていることを特徴としている。
【００１３】
この場合、ストッパの位置は収納される物品の高さ（厚さ）との関係で適宜決められる。すなわち、ストッパは上に載置される搬送用容器の物品収納部の底面が物品に当たらない位置に設けられる。
【００１４】
これにより、物品に余計な荷重がかかることはない。また、上下の各搬送用容器はスタック用の嵌合手段にてその相互関係が保持されるため、多数積み重ねてもいわゆる山崩れを起こすこともない。
【００１５】
この搬送用容器は合成樹脂薄板の真空成形体よりなるため、上記ストッパを上記第１の凹部の開口面側から見て逆テーパ状に形成することができ、この点も本発明の特徴の一つである。
【００１６】
上記嵌合手段は、好ましくは上記側枠壁と上記物品収納部との間に設けられるが、上記支持基板に上記物品収納部が複数形成されている場合には、上記嵌合手段をそれらの物品収納部間に設けることもできる。
【００１７】
【発明の実施の形態】
次に、本発明を図面に示されている実施例に基づいてより詳しく説明する。
【００１８】
図１はこの実施例に係る搬送用容器１０の斜視図であり、図２はその平面図である。この搬送用容器１０も先に説明した従来例と同様に、全体が合成樹脂薄板の真空成形体よりなり、その支持基板２には物品（仕掛かり品）を収納する所定深さの物品収納部３が形成されている。
【００１９】
また、支持基板２の周囲には側枠壁４が一体に連設されている。この例においても、支持基板２には４つの物品収納部３が形成されており、図２にはその内の１つ（右下側の物品収納部３）に入れられた物品としての液晶表示パネルＬが斜線で模式的に示されている。
【００２０】
図３は図２のＡ−Ａ線断面図であり、図４にはこの搬送用容器１０を積み重ねた状態での断面図が拡大して示されている。これによると、側枠壁４と物品収納部３との間にスタック用の第１嵌合手段２０が設けられ、また、物品収納部３の間にもスタック用の第２嵌合手段３０が設けられている。
【００２１】
すなわち、この実施例では側枠壁４に沿って４つの第１嵌合手段２０があり、図２において横並びとされた各物品収納部３の間に２つの第２嵌合手段３０がある。各第１嵌合手段２０は同一構成であり、また、各第２嵌合手段３０も同一構成であるため、それぞれその一つについて説明する。
【００２２】
第１嵌合手段２０は、側枠壁４と物品収納部３の側壁３ａとを含み、支持基板２の底面側では凹部２１であり、同支持基板２の上面側では凸部２２を呈する。その凹部２１側を見ると、側枠壁４と側壁３ａにはその開口面側に向けて漸次拡幅する型抜き用のテーパＴ１が付されている。
【００２３】
これにより、図４示されているように、下側に配置されている搬送用容器１０の凸部２２に、その上側に配置される搬送用容器１０の凹部２１が嵌合するのであるが、この場合、側枠壁４にはその嵌合深さを規制するストッパ２４が形成されている。
【００２４】
このストッパ２４は、凹部２１の開口面側から見て逆テーパ状に形成されている。すなわち、ストッパ２４は側枠壁４の一部分を凹部２１内に向けて凹ませることにより形成されている。このストッパ２４は、搬送用容器１０の図示しない真空成形金型に対して逆テーパとなるが、樹脂がある程度軟らかい状態であれば、その成形金型から容易に外すことができる。
【００２５】
この実施例とは異なり、ストッパ２４は側壁３ａ側もしくは側枠壁４と側壁３ａの両方に設けられてもよいが、いずれにしても図４に示されているように、この搬送用容器１０を積み重ねた場合、下側に配置されている搬送用容器１０の凸部２２に当接して、物品収納部３の底面と収納されている物品（この例では、液晶表示パネルＬ）との間に所定の隙間が生ずる位置に設けられる。
【００２６】
第２嵌合手段３０は、一方の物品収納部３の側壁３ａと他方の物品収納部３の側壁３ａとを含み、第１嵌合手段２０と同様に、支持基板２の底面側では凹部３１であり、同支持基板２の上面側では凸部３２を呈する。
【００２７】
その凹部３１側を見ると、各側壁３ａ，３ａにもその開口面側に向けて漸次拡幅する型抜き用のテーパが付されているが、一方の側壁３ａには上記第１嵌合手段２０と同様なストッパ３４が形成されている。すなわち、ストッパ３４は相手方第２嵌合手段３０の凸部３２に当接するように形成され、これにより、第２嵌合手段３０同士の嵌合深さが規制される。
【００２８】
また、この搬送用容器１０は、補助ストッパ４０をさらに備えている。この実施例では、各物品収納部３の四隅に位置するように９個の補助ストッパ４０がほぼ均等的に配置されている。なお、この補助ストッパ４０は支持基板２の補強用リブの役割をも兼ねている。
【００２９】
ここで、図５の断面図（図２のＢ−Ｂ線断面図）および図６の搬送用容器１０を積み重ねた状態での拡大断面図を参照して、補助ストッパ４０の構成を説明する。なお、各補助ストッパ４０は同一構成である。
【００３０】
この補助ストッパ４０は、上記スタック用嵌合手段２０，３０とは反対に、支持基板２の底面側では凸部４１であり、同支持基板２の上面側では凹部４２を呈し、その開口面は長穴状とされている。
【００３１】
凸部４１および凹部４２の壁面には、凹部４２の開口面側に向けて漸次拡幅する型抜きのためのテーパＴ２が付けられている。したがって、このままでは凹部４２の開口面が凸部４１の底面よりも大きいため、積み重ねたとき、凸部４１が相手方の凹部４２の開口面内に入ってしまい、ストッパとしての用をなさない。
【００３２】
そこで、この実施例では、凹部４２の一部分に同凹部４２の底部から垂直に立ち上がる垂直壁面４３を形成し、これにより凹部４２の開口面を凸部４１の底面よりも実質的に小さくして、積み重ねたとき、凸部４１が相手方の凹部４２の開口面内に入らないようにしている。
【００３３】
すなわち、垂直壁面４３がストッパとして作用する。この実施例では、凹部４２の開口面の各長辺側に垂直壁面４３を一対として対向的に設けているが、一つであってもよく、また、場合によっては短辺側に垂直壁面４３を形成してもよい。いずれにしても、垂直壁面４３であるため、成形金型から外す際の支障とはならない。
【００３４】
なお、この補助ストッパ４０は、第１および第２嵌合手段２０，３０の各ストッパ２４，３４が適切かつ有効に作用しているとともに、支持基板２が収納物品Ｌの重さにより変形を来さない限り、図６に示されているように、互いに当接しない高さ（長さ）寸法とされている。
【００３５】
すなわち、この補助ストッパ４０は、例えば搬送用容器１０の積み重ね段数が多く、第１および第２嵌合手段２０，３０の各ストッパ２４，３４がその荷重に耐えきれずに外れたような場合に、初めて相手方に当接する。
【００３６】
なお、上記実施例では、スタック用の嵌合手段を第１および第２の嵌合手段２０，３０の２つとしているが、いずれか一つであってもよい。また、上記実施例では、スタック用の嵌合手段と補助ストッパとを併用しているが、例えば搬送する物品が軽量であるなどの場合には、補助ストッパのみを用いてもよい。
【００３７】
【発明の効果】
以上説明したように、本発明によれば、積み重ね可能とした合成樹脂薄板の真空成形体よりなる搬送用容器において、スタック用の嵌合手段内に他の搬送用容器との積み重ね高さを規制するストッパを形成したことにより、同一形状でありながら同一方向として積み重ねても、搬送物品に対して余計な荷重がかかることのない搬送用容器が提供される。
【図面の簡単な説明】
【図１】本発明による搬送用容器の一実施例を示した斜視図。
【図２】上記実施例の平面図。
【図３】図２のＡ−Ａ線断面図。
【図４】上記実施例の搬送用容器を積み重ねた状態での図２のＡ−Ａ線に沿った断面図およびその要部拡大断面図。
【図５】図２のＢ−Ｂ線断面図。
【図６】上記実施例の搬送用容器を積み重ねた状態での図２のＢ−Ｂ線に沿った要部拡大断面図。
【図７】従来例としての搬送用容器を示した斜視図。
【符号の説明】
２  支持基板
３  物品収納部
３ａ  側壁
４  側枠壁
１０  搬送用容器
２０  スタック用第１嵌合手段
２１，３２  凹部
２２，３２  凸部
２４，３４  ストッパ
３０  スタック用第２嵌合手段
４０  補助ストッパ
４１  凸部
４２  凹部
４３  垂直壁面（ストッパ）
【図１】
0003928906.tif 000002
【図２】
0003928906.tif 000003
【図３】
0003928906.tif 000004
【図４】
0003928906.tif 000005
【図５】
0003928906.tif 000006
【図６】
0003928906.tif 000007
【図７】
0003928906.tif 000008